【手続補正書】
【提出日】令和3年10月20日(2021.10.20)
【手続補正１】
【補正対象書類名】特許請求の範囲
【補正対象項目名】全文
【補正方法】変更
【補正の内容】
【特許請求の範囲】
【請求項１】
データセットからコンテンツをフィルタリングすることに使用するための方法であって、デジタルデータ処理システム上で実行され、
サイトと関連付けされたデータセットに対して向けられた検索要求を受け容れるステップであり、前記検索要求は、前記データセットにおける用語のサイト固有関連性を表しているサイト固有ルックアップテーブルにおいて示される用語の中に無い検索用語を含み、関連用語は、同義語、下位概念語、および上位概念語のうちいずれかを含んでいる、ステップと、
変換関数をコーパスルックアップテーブルに対して適用することによって近似ルックアップテーブルを生成するステップであり、前記コーパスルックアップテーブルは、一般的なコーパスで、前記データセットにおける用語の関連性を示している、ステップと、
前記近似ルックアップテーブルにおいて示されている、前記検索用語の関連用語である用語を特定するステップと、
前記サイト固有ルックアップテーブルを、前記検索用語を含むように、かつ、該検索用語を該サイト固有ルックアップテーブルにおいて示される他の用語と関連するものとして表示するように変更するステップであり、前記表示は、前記検索用語と関連しているものとして、前記近似ルックアップテーブルから特定された用語の中からの選択に基づいている、ステップと、
を含む、方法。
【請求項２】
前記方法は、
前記変更するステップの後で、前記近似ルックアップテーブルを前記サイト固有ルックアップテーブルに対してフィッティングすることによって、前記変換関数を生成するステップ、を含む、
請求項１に記載の方法。
【請求項３】
前記方法は、
前記検索用語、および、前記検索用語の関連用語として前記近似ルックアップテーブルから特定された用語のうちいずれかを含むデジタルコンテンツを、前記データセットからフィルタリングするステップ、を含む、
請求項１に記載の方法。
【請求項４】
前記変更するステップは、マトリクスとしての前記サイト固有ルックアップテーブルを生成するステップ、を含み、
該マトリクスは、インデックスとしての前記データセットにおける用語を有しており、かつ、インデックスの交差点で、インデックスの用語の関連性を示す値を有している、
請求項１に記載の方法。
【請求項５】
前記コーパスルックアップテーブルを生成するステップは、
インデックスとしての用語を有しており、かつ、インデックスの用語に係るベクトル化の関連性の程度を示す値を有している、マトリクスとして、前記コーパスルックアップテーブルを生成するステップ、を含む、
請求項１に記載の方法。
【請求項６】
前記コーパスルックアップテーブルを生成するステップは、
関連性の程度として、用語のベクトル化に係るコサイン類似性を決定するステップ、を含む、
請求項５に記載の方法。
【請求項７】
前記コーパスルックアップテーブルを生成するステップは、
マルチワード用語の間での関連性の程度として、各用語のマトリクス表現の関数であるコサインメトリックを決定するステップ、を含む、
請求項５に記載の方法。
【請求項８】
前記コーパスルックアップテーブルを生成するステップは、
メトリックのペアの関数として前記コサインメトリックを決定するステップと、
それぞれが各用語を示しており、かつ、それぞれが前記用語において連続する単語のベクトル化を示している行か列かどちらかを有している、ステップと、
を含む、請求項７に記載の方法。
【請求項９】
前記コーパスルックアップテーブルを生成するステップは、
関連性の程度として、用語のベクトル化に係るユークリッド距離を決定するステップ、を含む、
請求項５に記載の方法。
【請求項１０】
前記近似ルックアップテーブルを生成するステップは、
インデックスとして前記データセットからの用語を有しており、かつ、前記変換関数の前記コーパスルックアップテーブルへの適用から結果として生じる値をインデックスにおいて有している、マトリクスとして、前記近似ルックアップテーブルを生成するステップ、を含む、
請求項１に記載の方法。
【請求項１１】
前記方法は、
前記近似ルックアップテーブルにおいて示され、前記検索用語の関連用語である用語を特定するステップ、を含む、
請求項１に記載の方法。
【請求項１２】
前記特定するステップにおいて、前記検索用語の関連用語として特定されたサイト用語について、関連用語の選択のために表示するステップ、を含む、
請求項９に記載の方法。
【請求項１３】
データセットからコンテンツをフィルタリングするための方法であって、デジタルデータ処理システム上で実行され、
サイトと関連付けされたデータセットに対して向けられた検索要求を受け容れるステップであり、前記検索要求は、前記データセットにおける用語のサイト固有関連性を表しているサイト固有ルックアップテーブルにおいて示される用語の中に無い検索用語を含み、関連用語は、同義語、下位概念語、および上位概念語のうちいずれかを含んでいる、ステップと、
変換関数をコーパスルックアップテーブルに対して適用することによって近似ルックアップテーブルを生成するステップであり、前記コーパスルックアップテーブルは、一般的なコーパスで、前記データセットにおける用語の関連性を示している、ステップと、
前記近似ルックアップテーブルにおいて示されている、前記検索用語の関連用語である用語を特定するステップと、
前記検索用語、および、前記検索用語の関連用語として前記近似ルックアップテーブルから特定された用語のうちいずれかを含むデジタルコンテンツを、前記データセットからフィルタリングするステップと、
を含む、方法。
【請求項１４】
データセットからコンテンツをフィルタリングする方法であって、デジタルデータ処理システム上で実行され、
第１サイトと関連付けされた第１データセットに対して向けられた第１検索要求を受け容れるステップであり、前記第１検索要求は、検索用語を含んでいる、ステップと、
１つまたはそれ以上の他のサイトと関連付けされた１つまたはそれ以上の他のデータセットに対して向けられた検索要求に応じて生成された関連用語の複数のグループの中で、前記検索用語を含むグループを特定するステップであり、前記関連用語は、同義語、下位概念語、および上位概念語のうちいずれかを含んでいる、ステップと、
前記第１サイトと関連付けされた前記第１データセットから、前記他のサイトと関連付けされた関連用語の前記特定されたグループにおける前記関連用語のいずれかを含むデジタルコンテンツを、フィルタリングするステップと、
前記第１検索要求に応じて、前記フィルタリングされたデジタルコンテンツを表示するステップと、
を含む、方法。
【請求項１５】
前記方法は、
前記第１データセットと関連付けされた関連用語の複数のグループの中で前記検索用語を含むグループを特定することによって前記検索要求に対して応答するステップであり、グループが特定されると、前記第１データセットから、前記第１データセットと関連付けされた関連用語の前記特定されたグループにおける用語のいずれかを含むデジタルコンテンツを、フィルタリングする、ステップ、を含む、
請求項１４に記載の方法。
【請求項１６】
コンピュータプログラムが保管されたマシンで読取り可能な記録媒体であって、
該コンピュータプログラムが実行されると、デジタルデータデバイスに、請求項１乃至１５いずれか一項に記載の方法を実施させる、
マシンで読取り可能な記録媒体。
【請求項１７】
複数のコンピュータ実行可能命令を含むコンピュータプログラムであって、
該コンピュータプログラムが実行されると、デジタルデータデバイスに、請求項１乃至１５いずれか一項に記載の方法を実施させる、
コンピュータプログラム。